(57)【要約】【課題】リソースを効率的に使用するために行うリソースの再配置処理により、無線基地局装置の処理が煩雑になることを防止可能な無線基地局装置を提供する。【解決手段】負荷計測部１３は、リソースの再配置処理が実行されている間、通信設定部１２の処理負荷を計測し、計測した処理負荷値を比較部１６に出力する。比較部１６は、負荷計測部１３から出力された処理負荷値と閾値格納部１４に格納されている閾値とを比較し、その比較結果を通信設定部１２に出力する。通信設定部１２が有するリソース割り当て部１２２は、再配置処理を継続するかまたは再配置処理を終了するかの判断を比較部１６が出力する比較結果に基づいて継続して行う。【選択図】      図１
2004260257.tif 000002
【特許請求の範囲】
【請求項１】
移動局と無線通信を行うための複数の無線リソースを含むベースバンド信号処理部と、
前記無線リソースを介して通信を行う移動局より要求された呼に対して前記無線リソースを割り当てる割り当て処理と、前記無線リソースが割り当てられている呼に対する無線リソースの割り当てを変更する割り当て変更処理とを行うリソース割り当て処理部と、
前記リソース割り当て処理部の処理負荷を測定する処理負荷測定部と、
前記処理負荷測定部により測定されたリソース割り当て処理部の処理負荷が所定の値より大きい場合に前記リソース割り当て処理部が行う割り当て変更処理を終了させる制御部とを含むことを特徴とする無線基地局装置。
【請求項２】
請求項１に記載の無線基地局装置において、
前記リソース割り当て処理部が割り当てを変更する無線リソースの数の上限値を格納する上限値格納部をさらに含み、
前記リソース割り当て処理部は、前記割り当て変更処理の実行時に割り当てを変更する無線リソースの数の上限値を前記上限値格納部に格納された上限値とすることを特徴とする無線基地局装置。
【請求項３】
請求項１または２に記載の無線基地局装置において、前記無線リソースは、前記移動局とＷ−ＣＤＭＡ方式の無線通信を行うことを特徴とする無線基地局装置。
【請求項４】
移動局と無線通信を行うための複数の無線リソースを含むベースバンド信号処理部と、前記無線リソースを介して通信を行う移動局より要求された呼に対して前記無線リソースを割り当てる割り当て処理と前記無線リソースが割り当てられている呼に対する無線リソースの割り当てを変更する割り当て変更処理とを行うリソース割り当て処理部とを含む無線基地局装置の無線リソース割り当て方法であって、
前記リソース割り当て処理部の処理負荷を測定する処理負荷測定ステップと、
前記処理負荷測定ステップで測定されたリソース割り当て処理部の処理負荷が所定の値より大きい場合に前記リソース割り当て処理部が行う割り当て変更処理を終了させる制御ステップとを含むことを特徴とする無線基地局装置の無線リソース割り当て方法。
【請求項５】
請求項４に記載の無線基地局装置の無線リソース割り当て方法において、
前記リソース割り当て処理部が割り当てを変更する無線リソースの数の上限値を上限値格納部に格納する格納ステップと、
前記リソース割り当て処理部が割り当てを変更する無線リソースの数の上限値を前記上限値格納部に格納された上限値として前記割り当て変更処理を実行する割り当て変更処理実行ステップと
をさらに含むことを特徴とする無線基地局装置の無線リソース割り当て方法。
【請求項６】
請求項４または５に記載の無線基地局装置の無線リソース割り当て方法において、前記無線リソースは、前記移動局とＷ−ＣＤＭＡ方式の無線通信を行うことを特徴とする無線基地局装置の無線リソース割り当て方法。
【発明の詳細な説明】
【０００１】
【発明の属する技術分野】
本発明は、無線基地局装置および無線基地局装置の無線リソース割り当て方法に関し、例えば、Ｗ−ＣＤＭＡ（Ｗｉｄｅ  ｂａｎｄ−Ｃｏｄｅ  Ｄｉｖｉｓｉｏｎ  Ｍｕｌｔｉｐｌｅ  Ａｃｃｅｓｓ）方式の移動体通信システムにおける無線基地局装置および無線基地局装置の無線リソース割り当て方法に関する。
【０００２】
【従来の技術】
従来、Ｗ−ＣＤＭＡ方式等の移動体通信システムは、複数の移動局とこれら複数の移動局と無線通信する無線基地局装置とを含んでいる。
【０００３】
無線基地局装置は、移動局と通信を行うための通信機能部と、この通信機能部に対して種々の設定を行う通信設定部とを含んでいる。
【０００４】
通信機能部は、ベースバンド信号処理を行う複数のベースバンドカードを備える。複数のベースバンドカードが行うベースバンド信号処理は、移動局から受信した受信信号を復調して復号化するとともに移動局に送信すべき送信信号を符号化し変調する処理である。
【０００５】
各ベースバンドカードは、それぞれがベースバンド信号処理を行う複数の無線リソース（以下、無線リソースを「リソース」と称する。）を含んでいる。
【０００６】
複数のリソースのそれぞれは、例えばＷ−ＣＤＭＡ方式特有のベースバンド信号処理を行うための各種の回路で構成されたひとまとまりの回路である。複数のリソースのそれぞれは、各々独立して動作することができる。複数のリソースのそれぞれは、ベースバンドカード上で所定の順番で並んでいる。
【０００７】
複数のリソースを含む通信機能部に対して種々の設定を行う通信設定部は、基地局制御部とリソース割り当て部とを含む。
【０００８】
基地局制御部は、携帯電話機等の移動局から要求された呼を受け取るとリソース割り当て部を動作させる。リソース割り当て部は、基地局制御部が受け取った呼に対して、ベースバンドカード内で未だ呼に対して割り当てられていないりソースを割り当てる。
【０００９】
基地局制御部が受け取った呼に対して割り当てられたリソースは、自身に割り当てられた呼を送信した移動局と無線通信を行うように動作する。
【００１０】
以下、ベースバンドカード内で未だ呼に対して割り当てられていないリソースを、空いているリソースまたは空きリソースと呼ぶ。
【００１１】
Ｗ−ＣＤＭＡ無線方式等の場合、音声データの呼とパケットデータの呼のように複数種類の呼が存在し、呼の種類に応じて１つの呼に対して必要となるリソース数が異なる。
【００１２】
特許文献１（特開２００２−９５０３９号公報）には、Ｗ−ＣＤＭＡ方式が適用された無線基地局装置において、移動局より要求されて新たに受け付けた呼に対して空きリソースを割り当てる方法が記載されている。
【００１３】
特許文献１に記載のリソース割り当て方法は、移動局より要求されて受け付けた呼の種類に応じて必要となるリソース数を求め、求めたリソース数分の空きリソースを検索し、受け付けた呼に対して検索により見つかった空きリソースを割り当てるというものである。
【００１４】
なお、Ｗ−ＣＤＭＡ方式等が適用された無線基地局装置において、複数のリソースを必要とする１つの呼に対して空きリソースを割り当てる場合、呼に対して割り当てられる複数のリソースのすべては同一のベースバンドカードに存在している必要があり、かつ呼に対して割り当てられる複数のリソースはベースバンドカード上で連続して並んでいる必要がある。
【００１５】
したがって、実際のリソースの割り当て処理は、移動局より要求されて受け取った呼が必要とするリソース数以上の数のリソースが連続して空いているベースバンドカードを検索し、受け取った呼に対して、検索により見つかったベースバンドカードが有する連続して並んでいる空きリソースを割り当てるという処理になる。移動局より要求されて受け取った呼が必要とするリソース数が１の場合は、リソースが連続して空いているベースバンドカードを検索する必要はない。
【００１６】
また、無線基地局装置は、リソースが割り当てられている呼が切断されると、リソース割り当て部を動作させ、切断された呼に対するリソースへの割り当てを解除する。
【００１７】
Ｗ−ＣＤＭＡ方式等が適用された無線基地局装置内のリソース割り当て部が、リソースの割り当てとリソースの割り当ての解除とを繰り返し行うと、切断されていない呼に対して割り当てられたリソースがベースバンドカード上で散在する可能性が高くなり、空いているリソースもベースバンドカード上で散在する可能性が高くなる。
【００１８】
無線基地局装置で空いているリソースが散在する状況が発生する要因の１つとして、呼の種類に応じて１つの呼に対して必要となるリソース数が異なる通信システムを採用していることがあげられる。
【００１９】
例えば、２つのリソースを使用していた呼が切断されると、連続する２つのリソースが空き状態となる。その後に新たに受け取った呼が必要とするリソース数が３であると、その空いたばかりの２つの連続するリソースに隣設するリソースが空いている場合には空いた２つのリソースを割り当てることができるが、空いていない場合には新たに受け取った呼に対して割り当てることはできず、空いた２つの連続するリソースが残ってしまう可能性がある。
【００２０】
空いているリソースが散在する場合、空いているリソースの総数が新たに受け取った呼が必要とするリソース数よりも多いのに、新たに受け取った呼に対して空いているリソースを割り当てられないという問題が生じ、リソースを効率的に利用できなくなってしまう。
【００２１】
例えば、あるベースバンドカードにおいて、空いているリソースと既に呼に割り当てられているリソースとが１つずつ交互に並んでいる場合に、新たに受け取った呼が必要とするリソース数が２つであると、空いているリソースの総数が新たに受け取った呼が必要とするリソース数よりも多いのに、新たに受け取った呼に対して空いているリソースを割り当てられなくなる。
【００２２】
空いているリソースの総数が新たに受け取った呼が必要とするリソース数よりも多いのに、新たに受け取った呼に対して空いているリソースを割り当てられないという問題に対処するには、物理的にベースバンドカードを増やすことで対応可能だが、ベースバンドカードの増加により部品点数が増えてしまう。それに加えて、リソースを効率的に利用できないという問題は解決されない。
【００２３】
特許文献２（特開２００１−２８５４８０号公報）には、空いているリソースの総数が新たに受け取った呼が必要とするリソース数よりも多いのに、新たに受け取った呼に対して空いているリソースを割り当てられなくなるという問題を解決可能な無線基地局装置が記載されている。
【００２４】
特許文献２に記載された無線基地局装置は、切断されていない呼に割り当てられたリソースを、ベースバンドカード上でできるだけ隙間なく並ぶように再配置させる処理を行うものである。
【００２５】
具体的には、切断されていない呼に割り当てられたリソースが同一ベースバンドカード内で散在している場合、切断されていない呼に割り当てるリソースを同一ベースバンドカード内でまとまるように再配置して、ベースバンドカード内にまとまった空きリソースが存在するようにしている。
【００２６】
さらに、特許文献２に記載された無線基地局装置は、所定のベースバンドカードのリソースが割り当てられていた呼に対するリソースの割り当てを、他のベースバンドカードのリソースに変更する再配置を行うことにより、所定のベースバンドカードにまとまった空きリソースを生じさせるようにしている。
【００２７】
また、特許文献２に記載の無線基地局装置は、新たに受け付けた呼に対してリソースを割り当てる際にリソースの再配置を行うと、割り当て完了までの時間が必然的に延びてしまうため、呼の切断に伴うリソースの割り当て解除時にリソースの再配置を行うことで、新たに受け付けた呼に対してリソースを割り当てる際の時間を短くしている。
【００２８】
【特許文献１】
特開２００２−９５０３９号公報
【特許文献２】
特開２００１−２８５４８０号公報
【００２９】
【発明が解決しようとする課題】
特許文献１に記載の発明においては、リソースを効率的に利用できない。
【００３０】
特許文献２に記載の無線基地局装置は、例えば再配置するリソースの数が多くてリソースを再配置する処理負荷が大きくなってしまう。
【００３１】
また、特許文献２に記載の無線基地局装置は、処理負荷の大きいリソース再配置処理を行っている間に新たな呼を受け付けると、処理負荷の大きい再配置処理と新たな呼に対するリソース割り当て処理とを連続して行わなければならないため、処理が煩雑となり、処理負荷が大きくなってしまうという問題が生じる。処理負荷の大きいリソース再配置処理を行っている間に新たな呼を受け付けると、リソースの再配置に時間がかかってしまい、新たな呼を受け付けてから新たな呼に対してリソースの割り当てを終了するまでの時間が長くなってしまうという問題が生じる。
【００３２】
本発明の目的は、リソースを効率的に使用するために行うリソースの再配置処理により無線基地局装置の処理が煩雑になることを防止することが可能であり、また新たな呼を受け付けてから新たな呼に対してリソースの割り当てを終了するまでの時間が長くことを防止することが可能な無線基地局装置および無線基地局装置の無線リソース割り当て方法を提供することである。
【００３３】
【課題を解決するための手段】
上記の目的を達成するために、本発明の無線基地局装置は、移動局と無線通信を行うための複数の無線リソースを含むベースバンド信号処理部と、前記無線リソースを介して通信を行う移動局より要求された呼に対して前記無線リソースを割り当てる割り当て処理と前記無線リソースが割り当てられている呼に対する無線リソースの割り当てを変更する割り当て変更処理とを行うリソース割り当て処理部と、前記リソース割り当て処理部の処理負荷を測定する処理負荷測定部と、前記処理負荷測定部により測定されたリソース割り当て処理部の処理負荷が所定の値より大きい場合に前記リソース割り当て処理部が行う割り当て変更処理を終了させる制御部とを含むことを特徴とする。
【００３４】
上記の発明によれば、リソース割り当て処理部の処理負荷が大きい場合に割り当て変更処理を終了させるので、割り当て変更処理時にリソース割り当て処理部の処理負荷が大きくなって割り当て変更処理が煩雑になることを防止可能となる。
【００３５】
また、割り当て変更処理が煩雑になることを防止可能なので、割り当て変更処理の実行時間が長くなることを防止できる。よって、例えば、割り当て変更処理を実行している間に新たな呼を受け付けた場合、割り当て変更処理の実行時間が長くならないので、新たな呼を受け付けてから新たな呼に対してリソースの割り当てを終了するまでの時間が長くなることを防止することが可能となる。
【００３６】
また、本発明の無線基地局装置は、上記無線基地局装置において、前記リソース割り当て処理部が割り当てを変更する無線リソースの数の上限値を格納する上限値格納部をさらに含み、前記リソース割り当て処理部は、前記割り当て変更処理の実行時に割り当てを変更する無線リソースの数の上限値を前記上限値格納部に格納された上限値とすることを特徴とする。
【００３７】
上記の発明によれば、上記と同様の効果に加えて、割り当てを変更する無線リソースの数の上限値が決まっているので、割り当てを変更する無線リソース数が多くなることによりリソース割り当て処理部の処理負荷が大きくなって割り当て変更処理が煩雑になることを防止可能となる。
【００３８】
また、本発明の無線基地局装置は、上記無線基地局装置において、前記無線リソースは、前記移動局とＷ−ＣＤＭＡ方式の無線通信を行うことを特徴とする。
【００３９】
上記の発明によれば、上記の効果に加えて、Ｗ−ＣＤＭＡ方式の無線通信を行う際に、無線リソースを効率良く使用することが可能となる。
【００４０】
また、本発明の無線基地局装置の無線リソース割り当て方法は、移動局と無線通信を行うための複数の無線リソースを含むベースバンド信号処理部と、前記無線リソースを介して通信を行う移動局より要求された呼に対して前記無線リソースを割り当てる割り当て処理と前記無線リソースが割り当てられている呼に対する無線リソースの割り当てを変更する割り当て変更処理とを行うリソース割り当て処理部とを含む無線基地局装置の無線リソース割り当て方法であって、前記リソース割り当て処理部の処理負荷を測定する処理負荷測定ステップと、前記処理負荷測定ステップで測定されたリソース割り当て処理部の処理負荷が所定の値より大きい場合に前記リソース割り当て処理部が行う割り当て変更処理を終了させる制御ステップとを含むことを特徴とする。
【００４１】
上記の発明によれば、リソース割り当て処理部の処理負荷が大きい場合に割り当て変更処理を終了させるので、割り当て変更処理時にリソース割り当て処理部の処理負荷が大きくなって割り当て変更処理が煩雑になることを防止可能となる。
【００４２】
また、本発明の無線基地局装置の無線リソース割り当て方法は、上記無線基地局装置の無線リソース割り当て方法において、前記リソース割り当て処理部が割り当てを変更する無線リソースの数の上限値を上限値格納部に格納する格納ステップと、前記リソース割り当て処理部が割り当てを変更する無線リソースの数の上限値を前記上限値格納部に格納された上限値として前記割り当て変更処理を実行する割り当て変更処理実行ステップとをさらに含むことを特徴とする。
【００４３】
上記の発明によれば、上記と同様の効果に加えて、割り当てを変更する無線リソースの数の上限値が決まっているので、割り当てを変更する無線リソース数が多くなることによりリソース割り当て処理部の処理負荷が大きくなって割り当て変更処理が煩雑になることを防止可能となる。
【００４４】
また、本発明の無線基地局装置の無線リソース割り当て方法は、上記無線基地局装置の無線リソース割り当て方法において、前記無線リソースは、前記移動局とＷ−ＣＤＭＡ方式の無線通信を行うことを特徴とする。
【００４５】
上記の発明によれば、上記の効果に加えて、Ｗ−ＣＤＭＡ方式の無線通信を行う際に、無線リソースを効率良く使用することが可能となる。
【００４６】
【発明の実施の形態】
以下、本発明の実施の形態を図面に示す一実施例に基づき説明する。
【００４７】
図１は、本発明の一実施例の無線基地局装置を含む移動体通信システムを示したブロック図である。
【００４８】
図１において、移動体通信システムは、無線基地局装置１と、無線基地局装置１の無線通信相手である携帯電話機等の複数の移動局２とを含む。
【００４９】
無線基地局装置１は、通信機能部１１と、通信設定部１２と、負荷計測部１３と、閾値格納部１４と、閾値設定部１５と、比較部１６と、再配置リソース数上限値格納部１７と、再配置リソース数上限値設定部１８およびアンテナ１９とを含む。
【００５０】
ベースバンド信号処理部としての通信機能部１１は、ベースバンド信号処理を行うベースバンド信号処理手段としてのベースバンドカード１１１ないし１１ｎを含む。なお、ｎは自然数である。
【００５１】
ベースバンドカード１１１ないし１１ｎのそれぞれは、ベースバンド信号処理を行うことで移動局２と通信を行う。
【００５２】
複数のベースバンドカード１１１ないし１１ｎが行うベースバンド信号処理は、移動局から受信した受信信号を復調して復号化するとともに移動局に送信すべき送信信号を符号化し変調する処理である。
【００５３】
ベースバンドカード１１１ないし１１ｎのそれぞれには、１から１ずつ大きくなっていく通し番号が附してある。本実施例では、この通し番号として、各ベースバンドカードに附してある符号１１１から１１ｎの最終桁の番号を用いるものとする。
【００５４】
図２は、複数のベースバンドカード１１１ないし１１ｎを示したブロック図である。
【００５５】
図２に示すように、ベースバンドカード１１１ないし１１ｎのそれぞれは、それぞれベースバンド信号処理を行う複数の無線リソースとしてのリソース１１０１ないし１１０７を含んでいる。
【００５６】
なお、本実施例では、１つのベースバンドカードが有するリソースの数を７としているが、１つのベースバンドカードが有するリソースの数は７に限らず、適宜変更可である。
【００５７】
リソース１１０１ないし１１０７のそれぞれは、移動局２から受信した受信信号を復調して復号化するとともに移動局２に送信すべき送信信号を符号化し変調することにより移動局２と無線通信を行う。例えば、リソース１１０１ないし１１０Ｍのそれぞれは、ベースバンド信号処理としてＷ−ＣＤＭＡ特有の送受信信号処理を行うための各種の回路で構成されたひとまとまりの回路である。
【００５８】
リソース１１０１ないし１１０７のそれぞれは、各々独立して動作することができる。
【００５９】
図１に戻って、リソース割り当て処理部としての通信設定部１２は、基地局制御部１２１とリソース割り当て部１２２とを含む。
【００６０】
基地局制御部１２１は、移動局２より要求された呼を受け取る。また、基地局制御部１２１は、移動局２より要求された呼を受け取ると、リソース割り当て部１２２を動作させる。
【００６１】
リソース割り当て処理部としても機能するリソース割り当て部１２２は、ベースバンドカード１１１ないし１１ｎの中から、基地局制御部１２１が受け取った呼が必要とする数のリソースが空いているベースバンドカードをベースバンドカード１１１から１１ｎの中から探す。
【００６２】
リソース割り当て部１２２は、探し出したベースバンドカードが有する空きリソースを、基地局制御部１２１が受け取った呼に対して割り当てる。
【００６３】
リソース割り当て部１２２による実際のリソースの割り当て処理は、受け取った呼が必要とするリソース数以上の数のリソースが連続して空いているベースバンドカードを、ベースバンドカード１１１から１１ｎの中から検索し、受け取った呼に対して、検索により見つかったベースバンドカードが有する連続して並んでいる空きリソースを割り当てるという処理になる。
【００６４】
リソース割り当て部１２２は、リソースが割り当てられている呼が切断されると、切断された呼に対するリソースへの割り当てを解除する。
【００６５】
リソース割り当て部１２２は、切断された呼に対するリソースへの割り当てを解除した後、切断されずに現存している呼に割り当てられているリソースを極力１つのベースバンドカードにまとめる再配置処理を行う。
【００６６】
負荷計測部１３は、通信設定部１２の処理負荷を計測し、計測した処理負荷値を比較部１６に出力する。本実施例では、負荷計測部１３が計測する通信設定部１２の処理負荷として、通信設定部１２の処理負荷率を用いることとする。
【００６７】
なお、負荷計測部１３が計測する通信設定部１２の処理負荷は、基地局制御部１２１とリソース割り当て部１２２とを含む通信設定部１２の全体の処理負荷率としてもよいし、リソース割り当て部１２２の処理負荷率としてもよい。
【００６８】
閾値格納部１４は、比較部１６が負荷計測部１３から出力される処理負荷値と比較するための閾値を格納する。本実施例では、閾値として処理負荷率を用いることとする。閾値格納部１４に格納される閾値は、閾値設定部１５によって設定される。
【００６９】
制御部としての比較部１６は、負荷計測部１３から出力される処理負荷値と閾値格納部１４に格納されている閾値とを比較し、その比較結果を通信設定部１２、具体的にはリソース割り当て部１２２に出力する。
【００７０】
比較部１６は、負荷計測部１３から出力される処理負荷値に基づき、リソース割り当て部１２２が行う割り当て変更処理としての再配置処理を制御する。具体的には、比較部１６は、負荷計測部１３から出力される処理負荷値と閾値格納部１４に格納されている閾値との比較結果に基づき、リソース割り当て部１２２が行う割り当て変更処理を継続するか終了するかを制御する。
【００７１】
負荷計測部１３が計測した通信設定部１２の処理負荷が閾値格納部１４に格納されている閾値を越えていることを示す比較結果を比較部１６が通信設定部１２に出力すると、リソース割り当て部１２２は再配置処理を終了する。
【００７２】
負荷計測部１３が計測した通信設定部１２の処理負荷が閾値格納部１４に格納されている閾値を越えていないことを示す比較結果を比較部１６が通信設定部１２に出力すると、リソース割り当て部１２２は再配置処理を継続する。
【００７３】
再配置リソース数上限値格納部１７は、再配置処理が行われるリソース数の上限値を格納する。
【００７４】
再配置リソース数上限値格納部１７に格納されるリソース数の上限値は、再配置リソース上限値設定部１８によって設定される。
【００７５】
なお、通信設定部１２と負荷計測部１３と閾値格納部１４と比較部１６と再配置リソース数上限値格納部１７とは、プロセッサとこのプロセッサの動作プログラム等を記憶したメモリとを備えたコンピュータ１０１により実現してもよい。この場合、通信設定部１２と負荷計測部１３と比較部１６は、プロセッサが有する機能に対応するものとなり、また、閾値格納部１４と再配置リソース数上限値格納部１７はメモリに対応するものとなる。
【００７６】
次に、動作を説明する。
【００７７】
まず、移動局２より要求された呼に対してベースバンドカードのリソースを割り当てる割り当て処理の動作を説明する。
【００７８】
基地局制御部１２１は、アンテナ１９から移動局２より要求された呼を受け取ると、リソース割り当て部１２２を動作させる。
【００７９】
リソース割り当て部１２２は、ベースバンドカード１１１ないし１１ｎの中から、基地局制御部１２１が受け取った呼が必要とする数のリソースが空いているベースバンドカードを検索する。
【００８０】
基地局制御部１２１が受け取った呼が必要とする数のリソースが空いているベースバンドカードの検索の一例を以下に示す。
【００８１】
リソース割り当て部１２２は、各ベースバンドカードに付してある通し番号の小さい順にベースバンドカードを順番に検索していき、基地局制御部１２１が受け取った呼が必要とする数のリソースが連続して空いているベースバンドカードが検索により見つかると、見つかったベースバンドカードの空きリソースを基地局制御部１２１が受け取った呼に割り当てる。
【００８２】
リソース割り当て部１２２は、最も大きい通し番号が附してあるベースバンドカードまで検索しても、基地局制御部１２１が受け取った呼が必要とする数のリソースが連続して空いていない場合、割り当て不可能として割り当て処理を終了する。
【００８３】
次に、リソースが割り当てられている呼の切断に応じて切断された呼に対するリソースへの割り当てを解除する処理と割り当ての解除に応じて実行される再配置処理の動作を説明する。
【００８４】
図３は、リソースへの割り当てを解除する処理と再配置処理の動作を説明するためのフローチャートである。以下、図３を参照して説明する。
【００８５】
リソース割り当て部１２２は、リソースが割り当てられている呼が切断されると、切断された呼に対するリソースへの割り当てを解除する（ステップ３ａ）。
【００８６】
切断された呼に対するリソースへの割り当ての解除が終了すると、リソース割り当て部１２２は、割り当てを解除したリソースを有するベースバンドカードを対象カードとし、この対象カードにおいて未だ切断されておらず現存している呼に対して割り当てられているリソースの数を算出する（ステップ３ｂ）。
【００８７】
ステップ３ｂを具体的に説明すると、リソース割り当て部１２２は、対象カードにおいて未だ切断されておらず現存している呼の数と、それぞれの呼に対して割り当てられているリソース数とを算出する。
【００８８】
リソース割り当て部１２２は、対象カードを除いたベースバンドカードに空きリソースを有するものがあるか確認する（ステップ３ｃ）。
【００８９】
対象カードを除いたベースバンドカードに空きリソースを有するものがないと、リソース割り当て部１２２は、対象カード内で割り当てられているリソースがまとまるように、対象カードにおいて未だ切断されておらず現存している呼に対して割り当てられているリソースを同一対象カード内で再配置する割り当て変更処理を行う（ステップ３ｄ）。
【００９０】
ステップ３ｄの処理を行うことにより、対象カード内で空きリソースがまとまるので、空いているリソースの総数が新たに受け取った呼が必要とするリソース数よりも多いのに、新たに受け取った呼に対して空いているリソースを割り付けられないという問題に対処可能となり、リソースを効率的に使用することが可能となる。
【００９１】
ステップ３ｄにおいて、リソース割り当て部１２２は、再配置するリソースの数の上限値を再配置リソース数上限値格納部１７に格納されている上限値とする。
【００９２】
図４は、同一対象カード内で再配置する割り当て変更処理を説明するための説明図である。図４において、図２と同一構成のものには同一符号を附してある。また、図４において、斜線を附したリソースは呼に対して割り当てられているリソースを示す。
【００９３】
図４（ａ）は、ベースバンドカード１１１において、リソース１１０１とリソース１１０２が割り当てられていた呼が切断してリソース１１０１とリソース１１０２の割り当てが解除され、かつリソース１１０３とリソース１１０４への呼の割り当てが現存している状態を示した図である。
【００９４】
図４（ｂ）は、図４（ａ）に対して同一対象カード内でリソースを再配置する割り当て変更処理を実行した状態を示した図である。
【００９５】
図４（ｂ）は、図４（ａ）でベースバンドカード１１１において、リソース１１０３とリソース１１０４に割り当てられていた呼の割り当てをリソース１１０１とリソース１１０２に変更する再配置がなされている。この再配置により、ベースバンドカード１１１において連続する空きリソース数が５となっている。
【００９６】
負荷計測部１３は、ステップ３ｄが実行されている間、通信設定部１２の処理負荷を計測し、計測した処理負荷値を比較部１６に出力する。
【００９７】
比較部１６は、負荷計測部１３から出力された処理負荷値と閾値格納部１４に格納されている閾値とを比較し、その比較結果を通信設定部１２に出力する。
【００９８】
通信設定部１２が有するリソース割り当て部１２２は、ステップ３ｄの実行中、ステップ３ｄの再配置処理を継続するかまたはステップ３ｄの再配置処理を終了するかの判断を、比較部１６が出力する比較結果に基づいて継続して行う。
【００９９】
具体的には、負荷計測部１３が計測した通信設定部１２の処理負荷が閾値を越えていないことを示す比較結果が通信設定部１２に出力されると、リソース割り当て部１２２はステップ３ｄの再配置処理を継続する。また、負荷計測部１３が計測した通信設定部１２の処理負荷が閾値を越えていることを示す比較結果が通信設定部１２に出力されると、リソース割り当て部１２２はステップ３ｄの再配置処理を終了する。
【０１００】
本実施例は、リソース割り当て部１２２が同一ベースバンドカード内でのリソース割り当て変更処理を実行する際に、負荷計測部１３で計測した通信設定部１２の処理負荷に基づき、リソース割り当て部１２２が行う割り当て変更処理を制御するので、リソース割り当て部１２２の処理負荷が大きい場合に割り当て変更処理を終了させることが可能となり、割り当て変更処理時に通信設定部１２の処理負荷が大きくなって割り当て変更処理が煩雑になることを防止可能となる。
【０１０１】
また、割り当て変更処理が煩雑になることを防止可能なので、割り当て変更処理の実行時間が長くなることを防止できる。よって、例えば、割り当て変更処理を実行している間に新たな呼を受け付けた場合、割り当て変更処理の実行時間が長くならないので、新たな呼を受け付けてから新たな呼に対してリソースの割り当てを終了するまでの時間が長くなることを防止することが可能となる。
【０１０２】
本実施例は、リソース割り当て部１２２が同一ベースバンドカード内での割り当て変更処理を実行する際に、割り当てを変更する無線リソースの数の上限値が決まっており、かつ負荷計測部１３で計測した通信設定部１２の処理負荷に基づきリソース割り当て部１２２が行う割り当て変更処理を制御するので、割り当て変更処理時に通信設定部１２の処理負荷が大きくなって割り当て変更処理が煩雑になることを防止可能となる。
【０１０３】
リソース割り当て部１２２は、ステップ３ｄが終了すると、リソース再配置処理を終了する（ステップ３ｅ）。
【０１０４】
ステップ３ｃで、対象カードを除いたベースバンドカードに空きリソースを有するものがあると、リソース割り当て部１２２は対象カードを最若番の通し番号が附してあるベースバンドカードに変更する（ステップ３ｆ）。
【０１０５】
リソース割り当て部１２２は、切断された呼に対して割り当てられていたリソースを有するベースバンドカードにおいて、未だ切断されておらず現存している各呼に対して割り当てられているリソース数のいずれかの数以上連続した空きリソースが、ステップ３ｆで変更された対象カードにあるか確認する（ステップ３ｇ）。
【０１０６】
なお、ステップ３ｇで、切断された呼に対して割り当てられていたリソースを有するベースバンドカードにおいて未だ切断されておらず現存している呼が１つの場合は、その呼に対して割り当てられているリソース数の数以上連続した空きリソースがあるか確認する。
【０１０７】
リソース割り当て部１２２は、ステップ３ｇで、変更された対象カードに空きリソースがあると判断すると、その空きリソースに変更可能な現存する呼に対して割り当てられているリソースを、その空きリソースに変更する割り当て変更処理としての再配置処理を行う（ステップ３ｈ）。
【０１０８】
ステップ３ｈにおいて、リソース割り当て部１２２は、再配置するリソースの数の上限値を再配置リソース数上限値格納部１７に格納されている上限値とする。
【０１０９】
ステップ３ｈの処理を行うことにより、空きリソースがまとまるので、空いているリソースの総数が新たに受け取った呼が必要とするリソース数よりも多いのに、新たに受け取った呼に対して空いているリソースを割り付けられないという問題に対処可能となり、リソースを効率的に使用することが可能となる。
【０１１０】
図５は、複数のベースバンドカード間でリソースを再配置する割り当て変更処理を説明するための説明図である。図５において、図２と同一構成のものには同一符号を附してある。また、図５において、斜線を附したリソースは呼に対して割り当てられているリソースを示す。
【０１１１】
図５（ａ）は、ベースバンドカード１１１のすべてのリソースが空きリソースであり、また、ベースバンドカード１１２においては、リソース１１０１が割り当てられていた呼が切断してリソース１１０１の割り当てが解除され、かつリソース１１０２とリソース１１０３とリソース１１０４への割り当てが現存している状態を示した図である。
【０１１２】
図５（ｂ）は、図５（ａ）に示したベースバンドカード１１２に割り当てられているリソースをベースバンドカード１１１のリソースに再配置する割り当て変更処理を実行した状態を示した図である。
【０１１３】
図５（ｂ）は、図５（ａ）に示したようにベースバンドカード１１２において、リソース１１０２リソース１１０３とリソース１１０４とに割り当てられていた呼の割り当てを、ベースバンドカード１１１における、リソース１１０１とリソース１１０２とリソース１１０３に変更する再配置がなされている。この再配置により、ベースバンドカード１１２において連続する空きリソース数が７となっている。
【０１１４】
負荷計測部１３は、ステップ３ｈが実行されている間、通信設定部１２の処理負荷を計測し、計測した処理負荷値を比較部１６に出力する。
【０１１５】
比較部１６は、負荷計測部１３から出力された処理負荷値と閾値格納部１４に格納されている閾値とを比較し、その比較結果を通信設定部１２に出力する。
【０１１６】
通信設定部１２が有するリソース割り当て部１２２は、ステップ３ｈの実行中、ステップ３ｈの再配置処理を継続するかまたはステップ３ｈの再配置処理を終了するかの判断を、比較部１６が出力する比較結果に基づいて継続して行う。
【０１１７】
具体的には、負荷計測部１３が計測した通信設定部１２の処理負荷が閾値を越えていないことを示す比較結果が通信設定部１２に出力されると、リソース割り当て部１２２はステップ３ｈの再配置処理を継続する。また、負荷計測部１３が計測した通信設定部１２の処理負荷が閾値を越えていることを示す比較結果が通信設定部１２に出力されると、リソース割り当て部１２２はステップ３ｈの再配置処理を終了する。
【０１１８】
本実施例は、リソース割り当て部１２２が複数のベースバンドカード間でリソースの割り当て変更処理を実行する際に、負荷計測部１３で計測した通信設定部１２の処理負荷に基づき、リソース割り当て部１２２が行うリソース割り当て変更処理を制御するので、リソース割り当て部１２２の処理負荷が大きい場合に割り当て変更処理を終了させることが可能となり、割り当て変更処理時に通信設定部１２の処理負荷が大きくなって割り当て変更処理が煩雑になることを防止可能となる。
【０１１９】
また、割り当て変更処理が煩雑になることを防止可能なので、割り当て変更処理の実行時間が長くなることを防止できる。よって、例えば、割り当て変更処理を実行している間に新たな呼を受け付けた場合、割り当て変更処理の実行時間が長くならないので、新たな呼を受け付けてから新たな呼に対してリソースの割り当てを終了するまでの時間が長くなることを防止することが可能となる。
【０１２０】
本実施例は、リソース割り当て部１２２が複数のベースバンドカード間でリソースの割り当て変更処理を実行する際に、割り当てを変更する無線リソースの数の上限値が決まっており、かつ負荷計測部１３で計測した通信設定部１２の処理負荷に基づきリソース割り当て部１２２が行う割り当て変更処理を制御するので、割り当て変更処理時に通信設定部１２の処理負荷が大きくなって割り当て変更処理が煩雑になることを防止可能となる。
【０１２１】
本実施例は、リソース割り当て部１２２が行う同一カード内再配置と、リソース割り当て部１２２が行う複数のカード間での再配置とで、再配置するリソースの数の上限値として、再配置リソース数上限値格納部１７に格納した上限値をともに使用しているので、同一カード内再配置処理時の再配置リソース数の上限値と複数のカード間での再配置処理時の再配置リソース数の上限値を個別に設定する場合に比べて、上限値設定動作の簡略化が図れる。
【０１２２】
Ｗ−ＣＤＭＡ方式の無線基地局装置では、呼の種類に応じて１つの呼に対して必要なリソース数が異なり、割り当て変更処理を行う頻度が高くなる可能性があるが、負荷計測部１３で計測した通信設定部１２の処理負荷に基づき割り当て変更処理を制御するので、割り当て変更処理が煩雑になることを防止可能となり、割り当て変更処理の頻度が高くなっても通信設定部１２の処理負荷が煩雑になることを防止可能となる。
【０１２３】
リソース割り当て部１２２は、ステップ３ｈの再配置処理の実行回数をカウントし、そのカウント値が所定回数に到達したら（ステップ３ｉ）、リソース再配置処理を終了する（ステップ３ｅ）。また、リソース割り当て部１２２は、再配置処理の実行回数を示すカウント値が所定回数に到達しない場合は（ステップ３ｉ）、ステップ３ｆに戻る。
【０１２４】
ステップ３ｇにおいて、切断された呼に対して割り当てられていたリソースを有するベースバンドカードにおいて未だ切断されておらず現存している各呼に対して割り当てられているリソース数のいずれかの数以上連続した空きリソースが、ステップ３ｆで変更された対象カードにないと、リソース割り当て部１２２は、現在の対象カードより通し番号が１だけ大きいベースバンドカードに対象カードを変更し（ステップ３ｊ）、ステップ３ｇに進む。
【０１２５】
以上説明した実施例において、図示した構成は単なる一例であって、本発明はその構成に限定されるものではない。
【０１２６】
例えば、負荷計測部１３として、無線基地局装置の処理負荷を上位の移動体通信制御装置に通知する負荷計測部を用いてもよい。この場合、負荷計測部で計測した処理負荷値を、上位の移動体通信制御装置への通知用と通信設定部１２の制御用に兼用できる。
【０１２７】
【発明の効果】
本発明によれば、リソース割り当て処理部の処理負荷が大きい場合に割り当て変更処理を終了させるので、無線リソースを効率的に利用するための処理である割り当て変更処理時にリソース割り当て処理部の処理負荷が大きくなって割り当て変更処理が煩雑になることを防止可能となる。
【図面の簡単な説明】
【図１】本発明の一実施例の無線基地局装置を含む移動体通信システムを示すブロック図である。
【図２】本実施例の無線基地局装置の通信機能部を説明するための説明図。
【図３】本実施例の無線基地局装置の動作を説明するためのフローチャートである。
【図４】本実施例の割り当て変更処理を説明するための説明図である。
【図５】本実施例の他の割り当て変更処理を説明するための説明図である。
【符号の説明】
１        無線基地局装置
１１      通信機能部
１１１〜１１ｎ      ベースバンドカード
１１０１〜１１０７  リソース
１２      通信設定部
１２１    基地局制御部
１２２    リソース割り当て部
１３      負荷計測部
１４      閾値格納部
１５      閾値設定部
１６      比較部
１７      再配置リソース数上限値格納部
１８      再配置リソース数上限値設定部
１９      アンテナ
１０１    コンピュータ
２        移動局
【図１】
2004260257.tif 000003
【図２】
2004260257.tif 000004
【図３】
2004260257.tif 000005
【図４】
2004260257.tif 000006
【図５】
2004260257.tif 000007